(57)【要約】【課題】  樹脂被覆からの導線の露出を抑制して、確実に防食性を確保することが可能な端子付き電線およびその製造方法を提供する。【解決手段】  トランジション部４には、流出防止部１９が設けられる。導線１３の先端は、導線圧着部７における高さよりも高くなる場合があるが、流出防止部１９の高さは、導線圧着部７から露出する導線１３の先端部の高さよりも高い。なお、流出防止部１９は、トランジション部４の幅方向の全幅に渡って形成される。バレル間部８から流出防止部１９までの導線１３が露出する部位が防食材１７で覆われている。また、防食材１７は、流出防止部１９の上端近傍まで設けられるため、導線１３が、防食材１７によって完全に覆われて、外部に露出しない。【選択図】図２
2020031008.tif 000002
【特許請求の範囲】
【請求項１】
被覆導線と端子とが接続される端子付き電線であって、
前記被覆導線は、被覆部と、前記被覆部の先端から露出する導線とを具備し、
前記端子は、端子本体と圧着部とがトランジション部を介して連結されており、
前記圧着部は、前記導線が圧着される導線圧着部と、前記被覆部が圧着される被覆圧着部と、前記導線圧着部と前記被覆圧着部との間のバレル間部と、を具備し、
前記トランジション部には、前記導線の先端部の高さよりも高い樹脂製の流出防止部が設けられ、
少なくとも、前記バレル間部から前記流出防止部までの前記導線が露出する部位が防食材で覆われていることを特徴とする端子付き電線。
【請求項２】
被覆導線と端子とが接続される端子付き電線であって、
前記被覆導線は、被覆部と、前記被覆部の先端から露出する導線とを具備し、
前記端子は、端子本体と圧着部とがトランジション部を介して連結されており、
前記圧着部は、前記導線が圧着される導線圧着部と、前記被覆部が圧着される被覆圧着部と、前記導線圧着部と前記被覆圧着部との間のバレル間部と、を具備し、
前記導線圧着部の上方または後方には、前記被覆部から露出する前記導線の高さよりも高い樹脂製の流出防止部が設けられ、
少なくとも、前記バレル間部から前記流出防止部までの前記導線が露出する部位が防食材で覆われていることを特徴とする端子付き電線。
【請求項３】
前記流出防止部は、複数の樹脂の液滴が硬化することで形成されることを特徴とする請求項１または請求項２に記載の端子付き電線。
【請求項４】
前記流出防止部は、樹脂が積層されて形成されていることを特徴とする請求項１から請求項３のいずれかに記載の端子付き電線。
【請求項５】
前記トランジション部には、前記導線の先端部の高さよりも高い流出防止部が設けられ、
前記導線圧着部の上方または後方には、前記被覆部から露出する前記導線の高さよりも高い流出防止部が設けられ、
前記トランジション部に設けられる流出防止部と、前記導線圧着部の上方または後方に設けられる流出防止部の高さが異なることを特徴とする請求項１から請求項４のいずれかに記載の端子付き電線。
【請求項６】
前記被覆圧着部の後方の前記被覆部の外周に流出防止部が設けられ、
少なくとも、前記被覆圧着部の後端部から前記被覆部の外周の流出防止部までの間が防食材で覆われていることを特徴とする請求項１から請求項５のいずれかに記載の端子付き電線。
【請求項７】
前記導線圧着部の上方であって、バレル同士の突合せ部の両側に流出防止部が設けられ、
少なくとも、前記バレル同士の突合せ部の両側の流出防止部の間が防食材で覆われていることを特徴とする請求項１から請求項６のいずれかに記載の端子付き電線。
【請求項８】
全ての流出防止部を構成する樹脂と前記防食材が光硬化樹脂であることを特徴とする請求項１から請求項７のいずれかに記載の端子付き電線。
【請求項９】
被覆導線と端子とを接続する端子付き電線の製造方法であって、
前記被覆導線は、被覆部と、前記被覆部の先端から露出する導線とを具備し、
前記端子は、端子本体と圧着部とがトランジション部を介して連結されており、
前記圧着部は、前記導線が圧着される導線圧着部と、前記被覆部が圧着される被覆圧着部と、前記導線圧着部と前記被覆圧着部との間のバレル間部と、を具備し、
前記トランジション部または、前記導線圧着部の上方または後方に、複数の樹脂の液滴の塗布と硬化を繰り返して、流出防止部を形成し、
前記流出防止部は、前記トランジション部において、前記導線の先端部の高さよりも高く形成されるか、または、前記導線圧着部において、前記被覆部から露出する前記導線の高さよりも高く形成され、前記流出防止部の後方に、防食材を塗布した後、光照射することで防食材を硬化させ、前記バレル間部から前記流出防止部までの前記導線が露出する部位を防食材で覆うことを特徴とする端子付き電線の製造方法。
【請求項１０】
前記流出防止部は、ジェットディスペンサによって、樹脂を打ち出す工程と、樹脂を硬化させる工程を繰り返し、樹脂を、所定の幅に対し所定の高さに積層させることで形成することを特徴とする請求項９記載の端子付き電線の製造方法。
【発明の詳細な説明】
【技術分野】
【０００１】
本発明は例えば自動車等に用いられる端子付き電線およびその製造方法に関するものである。
【背景技術】
【０００２】
従来、自動車、ＯＡ機器、家電製品等の分野では、電力線や信号線として、電気導電性に優れた銅系材料からなる電線が使用されている。特に、自動車分野においては、車両の高性能化、高機能化が急速に進められており、車載される各種電気機器や制御機器が増加している。したがって、これに伴い、使用される端子付き電線も増加する傾向にある。
【０００３】
一方、環境問題が注目される中、自動車の軽量化が要求されている。したがって、ワイヤハーネスの使用量増加に伴う重量増加が問題となる。このため、従来使用されている銅線に代えて、軽量なアルミニウム電線が注目されている。
【０００４】
ここで、このような電線同士を接続する際や機器類等の接続部においては、接続用端子が用いられる。しかし、アルミニウム電線を用いた端子付き電線であっても、接続部の信頼性等のため、端子部には、電気特性に優れる銅が使用される場合がある。このような場合には、アルミニウム電線と銅製の端子とが接合されて使用される。
【０００５】
しかし、異種金属を接触させると、標準電極電位の違いから、いわゆる電食が発生する恐れがある。特に、アルミニウムと銅との標準電極電位差は大きいため、接触部への水の飛散や結露等の影響により、電気的に卑であるアルミニウム側の腐食が進行する。このため、接続部における電線と端子との接続状態が不安定となり、接触抵抗の増加や線径の減少による電気抵抗の増大、更には断線が生じて電装部品の誤動作、機能停止に至る恐れがある。
【０００６】
このため、電線と端子との接続部を防食材で被覆する方法が提案されている。しかし、圧着後の端子付き電線に防食材を塗布すると、防食材が流れてしまい、必要な部分を確実に防食材で覆うことができない場合がある。
【０００７】
これに対し、端子圧着部と端子本体との間のトランジション部に流れ止めを形成して、導線圧着部を被覆する樹脂が端子本体側に流れることを抑制する端子付き電線の製造方法が提案されている。（特許文献１）。
【先行技術文献】
【特許文献】
【０００８】
【特許文献１】特開２０１８−７７９４９号公報
【発明の概要】
【発明が解決しようとする課題】
【０００９】
しかし、圧着時に、導線圧着部の先端から露出する導線が変形し、導線の先端部が他の部位よりも上方に向けて突き出すおそれがある。この場合には、導線の一部が樹脂被覆部から上方に露出する場合がある。また、被覆圧着部と導線圧着部との間において、導線が上方に膨らみ、この部位において、導線の一部が樹脂被覆部から露出する場合がある。このように、導線の一部が樹脂被覆部から露出すると、十分な防食性を確保できなくなる。
【００１０】
本発明は、このような問題に鑑みてなされたもので、樹脂被覆からの導線の露出を抑制して、確実に防食性を確保することが可能な端子付き電線およびその製造方法を提供することを目的とする。
【課題を解決するための手段】
【００１１】
前述した目的を達するために第１の発明は、被覆導線と端子とが接続される端子付き電線であって、前記被覆導線は、被覆部と、前記被覆部の先端から露出する導線とを具備し、前記端子は、端子本体と圧着部とがトランジション部を介して連結されており、前記圧着部は、前記導線が圧着される導線圧着部と、前記被覆部が圧着される被覆圧着部と、前記導線圧着部と前記被覆圧着部との間のバレル間部と、を具備し、前記トランジション部には、前記導線の先端部の高さよりも高い樹脂製の流出防止部が設けられ、少なくとも、前記バレル間部から前記流出防止部までの前記導線が露出する部位が防食材で覆われていることを特徴とする端子付き電線である。
【００１２】
また、第１の発明は、被覆導線と端子とが接続される端子付き電線であって、前記被覆導線は、被覆部と、前記被覆部の先端から露出する導線とを具備し、前記端子は、端子本体と圧着部とがトランジション部を介して連結されており、前記圧着部は、前記導線が圧着される導線圧着部と、前記被覆部が圧着される被覆圧着部と、前記導線圧着部と前記被覆圧着部との間のバレル間部と、を具備し、前記導線圧着部の上方または後方には、前記被覆部から露出する前記導線の高さよりも高い樹脂製の流出防止部が設けられ、少なくとも、前記バレル間部から前記流出防止部までの前記導線が露出する部位が防食材で覆われていることを特徴とする端子付き電線であってもよい。
【００１３】
前記流出防止部は、複数の樹脂の液滴が硬化することで形成されることが望ましい。
【００１４】
前記流出防止部は、樹脂が積層されて形成されていることが望ましい。
【００１５】
前記トランジション部には、前記導線の先端部の高さよりも高い流出防止部が設けられ、前記導線圧着部の上方または後方には、前記被覆部から露出する前記導線の高さよりも高い流出防止部が設けられ、前記トランジション部に設けられる流出防止部と、前記導線圧着部の上方または後方に設けられる流出防止部の高さが異なってもよい。
【００１６】
前記被覆圧着部の後方の前記被覆部の外周に流出防止部が設けられ、少なくとも、前記被覆圧着部の後端部から前記被覆部の外周の流出防止部までの間が防食材で覆われていてもよい。
【００１７】
前記導線圧着部の上方であって、バレル同士の突合せ部の両側に流出防止部が設けられ、少なくとも、前記バレル同士の突合せ部の両側の流出防止部の間が防食材で覆われていてもよい。
【００１８】
全ての流出防止部を構成する樹脂と前記防食材が光硬化樹脂であることが望ましい。
【００１９】
第１の発明によれば、トランジション部に、導線の先端部の高さよりも高い樹脂製の流出防止部が設けられるため、流出防止部の形成が容易であり、また、導線の先端部が防食材から露出することがなく、バレル間部から流出防止部までの導線を防食材で被覆することができる。このため、高い防食性能を確保することができる。
【００２０】
また、同様に、導線圧着部の上方または後方に、被覆部から露出する導線の高さよりも高い樹脂製の流出防止部が設けられれば、被覆部からの導線露出部を、確実に防食材で被覆することができる。このため、高い防食性能を確保することができる。
【００２１】
この際、複数の樹脂の液滴で流出防止部を形成するため、極めて短時間に流出防止部を形成することができる。
【００２２】
また、樹脂が積層されて流出防止部が形成されていることで、より高さの高い流出防止部を容易に形成することができる。
【００２３】
また、トランジション部に、導線の先端部の高さよりも高い流出防止部を設け、導線圧着部の上方または後方には、被覆部から露出する導線の高さよりも高い流出防止部を設けることで、より確実に、バレル間部から導線の先端までの導線を防食材で覆うことができる。この際、トランジション部に設けられる流出防止部と、導線圧着部の上方または後方に設けられる流出防止部の高さが異なるようにすることで、各部位に応じて適した高さの流出防止部を形成することができ、過剰に高さの高い流出防止部を形成することを抑制することができる。
【００２４】
また、被覆圧着部の後方の被覆部の外周に流出防止部を設けることで、被覆圧着部の後端部から被覆部の外周の流出防止部までの間を防食材で覆うことができる。
【００２５】
また、導線圧着部の上方であって、バレル同士の突合せ部の両側に流出防止部を設けることで、バレル同士の突合せ部を防食材で覆うことができる。
【００２６】
また、流出防止部を構成する樹脂と防食材が光硬化樹脂であれば、製造が容易であり、短時間で端子付き電線を製造することができる。
【００２７】
第２の発明は、被覆導線と端子とを接続する端子付き電線の製造方法であって、前記被覆導線は、被覆部と、前記被覆部の先端から露出する導線とを具備し、前記端子は、端子本体と圧着部とがトランジション部を介して連結されており、前記圧着部は、前記導線が圧着される導線圧着部と、前記被覆部が圧着される被覆圧着部と、前記導線圧着部と前記被覆圧着部との間のバレル間部と、を具備し、前記トランジション部または、前記導線圧着部の上方または後方に、複数の樹脂の液滴の塗布と硬化を繰り返して、流出防止部を形成し、前記流出防止部は、前記トランジション部において、前記導線の先端部の高さよりも高く形成されるか、または、前記導線圧着部において、前記被覆部から露出する前記導線の高さよりも高く形成され、前記流出防止部の後方に、防食材を塗布した後、光照射することで防食材を硬化させ、前記バレル間部から前記流出防止部までの前記導線が露出する部位を防食材で覆うことを特徴とする端子付き電線の製造方法である。
【００２８】
前記流出防止部は、ジェットディスペンサによって、樹脂を打ち出す工程と、樹脂を硬化させる工程を繰り返し、樹脂を、所定の幅に対し所定の高さに積層させることで形成することが望ましい。
【００２９】
第２の発明によれば、高い防食性能を確保することが可能な端子付き電線を容易に製造することができる。
【００３０】
特に、ジェットディスペンサによる樹脂の打ち出しと、樹脂の硬化工程を繰り返すことで、容易に所定の幅に対し所定の高さの流出防止部を形成することができる。
【発明の効果】
【００３１】
本発明によれば、樹脂被覆からの導線の露出を抑制して、確実に防食性を確保することが可能な端子付き電線およびその製造方法を提供することができる。
【図面の簡単な説明】
【００３２】
【図１】端子付き電線１０を示す斜視図。
【図２】端子付き電線１０を示す断面図。
【図３】端子付き電線１０の製造工程を示す図で、（ａ）は平面図、（ｂ）は断面図。
【図４】流出防止部１９近傍の拡大図。
【図５】（ａ）は、端子付き電線１０ａを示す平面図、（ｂ）は、端子付き電線１０ｂを示す平面図。
【図６】（ａ）は、端子付き電線１０ｃを示す平面図、（ｂ）は、端子付き電線１０ｄを示す平面図。
【図７】（ａ）は、端子付き電線１０ｅを示す平面図、（ｂ）は、端子付き電線１０ｅを示す断面図、（ｃ）は、流出防止部１９ｅ近傍の拡大図。
【図８】（ａ）は、端子付き電線１０ｆを示す平面図、（ｂ）は、端子付き電線１０ｇを示す平面図。
【図９】（ａ）は、端子付き電線１０ｈを示す平面図、（ｂ）は、端子付き電線１０ｉを示す平面図。
【図１０】端子付き電線１０ｊを示す断面図。
【発明を実施するための形態】
【００３３】
以下、図面を参照しながら、本発明の実施形態について説明する。図１は、端子付き電線１０を示す斜視図であり、図２は断面図である。なお、図１は、防食材１７を透視した図である。端子付き電線１０は、端子１と被覆導線１１が接続されて構成される。
【００３４】
被覆導線１１は、アルミニウムまたはアルミニウム合金製である導線１３と、導線１３を被覆する被覆部１５からなる。すなわち、被覆導線１１は、被覆部１５と、その先端から露出する導線１３とを具備する。導線１３は、例えば、複数の素線が撚り合わせられた撚り線である。
【００３５】
端子１は、オープンバレル型であり、銅または銅合金製である。端子１には被覆導線１１が接続される。端子１は、端子本体３と圧着部５とがトランジション部４を介して連結されて構成される。圧着部５と端子本体３の間に位置するトランジション部４は、上方が開口する。
【００３６】
端子本体３は、所定の形状の板状素材を、断面が矩形の筒体に形成したものである。端子本体３は、内部に、板状素材を矩形の筒体内に折り込んで形成される弾性接触片を有する。端子本体３は、前端部から雄型端子などが挿入されて接続される。なお、以下の説明では、端子本体３が、雄型端子等の挿入タブ（図示省略）の挿入を許容する雌型端子である例を示すが、本発明において、この端子本体３の細部の形状は特に限定されない。例えば、雌型の端子本体３に代えて例えば雄型端子の挿入タブを設けてもよい。
【００３７】
圧着部５は、被覆導線１１と圧着される部位であり、圧着前においては、端子１の長手方向に垂直な断面形状が略Ｕ字状のバレル形状を有する。端子１の圧着部５は、被覆導線１１の先端側に被覆部１５から露出する導線１３を圧着する導線圧着部７と、被覆導線１１の被覆部１５を圧着する被覆圧着部９と、導線圧着部７と被覆圧着部９の間のバレル間部８からなる。
【００３８】
導線圧着部７の内面の一部には、幅方向（長手方向に垂直な方向）に、図示を省略したセレーションが設けられる。このようにセレーションを形成することで、導線１３を圧着した際に、導線１３の表面の酸化膜を破壊しやすく、また、導線１３との接触面積を増加させることができる。
【００３９】
被覆導線１１の先端は、被覆部１５が剥離され、内部の導線１３が露出する。被覆導線１１の被覆部１５は、端子１の被覆圧着部９によって圧着される。また、被覆部１５が剥離されて露出する導線１３は、導線圧着部７により圧着される。導線圧着部７において、導線１３と端子１とが電気的に接続される。なお、被覆部１５の端面は、被覆圧着部９と導線圧着部７の間のバレル間部８に位置する。
【００４０】
トランジション部４には、樹脂製の流出防止部１９が設けられる。流出防止部１９の高さは、導線１３の先端部の高さ（トランジション部４上面からの高さ）よりも高い。例えば、図２に示すように、導線１３の先端は、導線圧着部７における導線１３の高さよりも高くなる場合があるが、流出防止部１９の高さは、導線圧着部７から露出する導線１３の先端部の高さよりも高い。特に、図示したように、導線圧着部７の先端に露出する導線１３の先端の高さが、導線圧着部７の先端部における上面高さよりも高くなる場合には、流出防止部１９は、導線１３の先端部の高さよりも高い位置まで形成されるため、導線圧着部７の先端部における上面高さよりも高くまで形成されることとなる。なお、流出防止部１９は、トランジション部４の幅方向の全幅に渡って形成される。
【００４１】
本実施形態では、少なくとも、バレル間部８から流出防止部１９までの導線１３が露出する部位が防食材１７で覆われている。また、防食材１７は、流出防止部１９の上端近傍まで設けられるため、導線１３が、防食材１７によって完全に覆われて、外部に露出しない。
【００４２】
なお、防食材１７および流出防止部１９を構成する樹脂は、例えば、アクリレート系の光硬化樹脂である。なお、防食材１７と流出防止部１９とは、明確な境界なく完全に一体化されていてもよい。この場合でも、両者の形成タイミングが異なるため、その境界を、断面研磨後に光学顕微鏡や偏光顕微鏡で識別は可能である。
【００４３】
次に、端子付き電線１０の製造方法について説明する。まず、被覆導線１１と端子１とを圧着により接続する。次に、トランジション部４に、樹脂の塗布と硬化によって、流出防止部１９を形成する。ここで、流出防止部１９は、ジェットディスペンサによって、樹脂を打ち出す工程と、樹脂を硬化させる工程を繰り返し、樹脂を、所定の幅に対し所定の高さに積層させることで形成することができる。
【００４４】
例えば、図３（ａ）に示すように、トランジション部４に対して樹脂の液滴をジェットディスペンサで打ち出し、打ち出しと連動させて光を照射させて硬化させ、その横に、同様にしてわずかにラップするように樹脂の液滴の打ち出しと硬化を行い、トランジション部４の幅方向に流出防止部１９を形成する。すなわち、流出防止部１９は、複数の樹脂の液滴の塗布と硬化を繰り返して形成されることが望ましい。なお、光を点滅させて打ち出しと連動させるのではなく、光を照射した状態で樹脂を打ち出してもよい。トランジション部４の全幅に渡って流出防止部１９が形成されると、次に、１段目の流出防止部１９の上部に、２段目の流出防止部１９を積層する。
【００４５】
図３（ｂ）に示すように、上記の工程を繰り返すことで、トランジション部４において、樹脂が積層されている流出防止部１９を形成することができ、導線圧着部７から露出する導線１３の先端部の高さよりも高く流出防止部１９を形成することができる。なお、前述したように、流出防止部１９を構成する硬化した樹脂の各液滴や各層の樹脂は、形成タイミングが異なるため、その境界を、断面研磨後に光学顕微鏡や偏光顕微鏡で識別は可能である。
【００４６】
図４は、流出防止部１９近傍の拡大図である。前述したように、樹脂の液滴の打ち出しと硬化とを繰り返すことで、厚みに対して高さの高い流出防止部１９を形成することができる。ここで、流出防止部１９の高さ（トランジション部４の鏡面からの高さ）をＨとすると、前述したように、高さＨは、導線１３の先端部の高さ（図中Ｃ）よりも高い。
【００４７】
また、平面視において、流出防止部１９の頂点（平面視における厚みの中心）から流出防止部１９の裾野までの距離（すなわち、流出防止部１９の厚み（電線の長手方向の厚み）の１／２）をＤとする。この場合、距離Ｄは、３ｍｍ以下であることが望ましい。
【００４８】
ここで、距離Ｄは、端子のサイズ等によって適切な値が変わる。一般に、大型端子ではＤが大きくなり、小型端子ではＤは小さくなる。Ｄが大きすぎると、硬化前の流出防止部１９の樹脂材の滴が、端子の複数の部位に同時に接触することで、滴の形状がくずれるため、流出防止部１９を所望の形状に形成することが困難である。一方、Ｄが小さすぎると、流出防止部１９を形成するために樹脂材の滴の数が多くなるため、製造に要する時間が長くなる。すなわちコストアップ要因となる。
【００４９】
また、流出防止部１９のＨ／Ｄは、０．５以上であることが望ましく、さらに望ましくは１．０以上であり、２以上であればより望ましい。このように、Ｄに対するＨを所定以上大きくすることで、流出防止部１９が、厚みに対して十分な高さを有するため、より効率の良い流出防止部１９となる。
【００５０】
次に、流出防止部１９の後方（少なくともバレル間部８から流出防止部１９までの間）に防食材１７を塗布した後、光照射することで防食材１７を硬化させ、バレル間部８から流出防止部１９までの導線１３が露出する部位を防食材１７で覆う。以上により、端子付き電線１０を得ることができる。
【００５１】
なお、本発明において、防食材１７を塗布するとは、防食材１７の液滴を対象部に接触させる方法や、防食材１７の液滴を供給部から打ち出して（滴下させて）対象部に付着させる方法など、対象部に防食材１７が付着した状態を得る方法の全てを含むものとする。例えば、防食材１７の液滴を対象部に対して、メカニカルディスペンサで接触させて塗布してもよく、流出防止部１９と同様に、ジェットディスペンサで供給部から打ち出して塗布してもよい。
【００５２】
なお、流出防止部１９を形成する樹脂の粘度は、例えば常温で１０００ｍＰａ・ｓ以上の樹脂を加熱して１００ｍＰａ・ｓで打ち出すことで、ジェットディスペンサによる打ち出しが可能であるとともに、打ち出し後の樹脂が流れてしまうことを抑制することができる。一方、防食材１７の粘度は、１０００ｍＰａ・ｓ以下で塗布すればよく、より好ましくは、粘度を数ｍＰａ・ｓ〜数百ｍＰａ・ｓ程度とすればよく、例えば、浸透性をより高めるため、３ｍＰａ・ｓ以下の粘度でも良い。
【００５３】
以上説明したように、本実施形態によれば、トランジション部４に、導線１３の高さよりも高い流出防止部１９が形成されるため、流出防止部１９を堰として、防食材１７を流出防止部１９の高さまで塗布することができる。このため、導線圧着部７の先端（端子本体３側の端部）から露出する導線１３を確実に防食材１７で覆うことができる。特に、導線圧着部７において強圧着する場合には、導線圧着部７の先端から露出する導線１３の先端が、導線圧着部７の上面よりも高い位置に跳ね上がる場合があるが、流出防止部１９を、さらにそれ以上の高さに形成することで、確実に防食性を確保することができる。また、この場合には、流出防止部１９の高さが、導線圧着部７の上面よりも高い位置まで形成されるため、導線圧着部７の上面に塗布した防食材１７の流出を防止することができる。
【００５４】
また、樹脂を積層して流出防止部１９が形成されるため、厚みに対して高さの高い流出防止部１９を得ることができる。このため、効率よく、所定高さの流出防止部１９を得ることができ、防食材１７の流出を防止しつつ所定の高さまで防食材１７を塗布することができる。
【００５５】
また、流出防止部１９と防食材１７がいずれも光硬化樹脂であるため、短時間で硬化させることができ、製造性が良好である。
【００５６】
次に、第２の実施形態について説明する。図５（ａ）は、端子付き電線１０ａを示す平面図である。なお、以下の説明において、第１の実施形態と同様の機能を奏する構成については、図１〜図４と同一の符号を付し、重複する説明を省略する。また、以下に示す各流出防止部は、前述の通り、複数の樹脂の液滴が硬化することで形成される。
【００５７】
端子付き電線１０ａは、端子付き電線１０と略同様の構成であるが、流出防止部１９に加えて流出防止部１９ａが設けられる点で異なる。前述したように、トランジション部４の上方には、トランジション部４の全幅に渡って、流出防止部１９が設けられる。すなわち、流出防止部１９は、トランジション部４の側壁部の内面に接触する。
【００５８】
流出防止部１９ａは、トランジション部４の側壁上に形成される。すなわち、流出防止部１９ａの厚みは、トランジション部４の側壁の厚み以下で形成される。例えば、流出防止部１９ａのＤ（図４参照）は、０．１ｍｍ程度である。流出防止部１９ａは、流出防止部１９と略同一の高さであって、流出防止部１９から導線圧着部７側に向けて形成される。すなわち、流出防止部１９、１９ａで導線圧着部７の先端側を略コの字状に囲むように形成される。
【００５９】
防食材１７は、バレル間部８から、流出防止部１９、１９ａで囲まれる範囲にわたって設けられ、バレル間部８から導線圧着部７の先端露出する導線１３を覆う。
【００６０】
第２の実施形態によれば、第１の実施形態と同様の効果を得ることができる。また、トランジション部４の側壁上に流出防止部１９ａを設けることで、トランジション部４の側壁よりも高い流出防止部１９、１９ａとすることができる。このため、トランジション部４の側方への防食材１７の流出を防止することができ、より確実に、導線１３を防食材１７で覆うことができる。
【００６１】
次に、第３の実施形態について説明する。図５（ｂ）は、第３の実施形態にかかる端子付き電線１０ｂを示す平面図である。端子付き電線１０ｂは、端子付き電線１０ａと略同様の構成であるが、流出防止部１９、１９ａに加えて流出防止部１９ｂが設けられる点で異なる。
【００６２】
前述したように、トランジション部４の上方には、トランジション部４の全幅に渡って、流出防止部１９が設けられる。また、流出防止部１９ａは、トランジション部４の側壁上に形成される。流出防止部１９ｂは、流出防止部１９、１９ａと略同一の高さであって、導線圧着部７の先端部近傍に、両サイドの流出防止部１９ａ同士を繋ぐように設けられる。すなわち、流出防止部１９、１９ａ、１９ｂで導線圧着部７の先端側を略ロの字状に囲むように形成される。
【００６３】
防食材１７は、流出防止部１９、１９ａ、１９ｂで囲まれた範囲内と、バレル間部８から、流出防止部１９ｂまでに設けられ、導線１３を覆う。なお、この場合でも、バレル間部８から流出防止部１９までの導線１３が露出する部位が防食材１７で覆われているとする。
【００６４】
第３の実施形態によれば、第２の実施形態と同様の効果を得ることができる。また、導線圧着部７の先端側に流出防止部１９ｂを設けることで、導線圧着部７の先端側の導線１３を確実に防食材１７で覆うことができる。
【００６５】
次に、第４の実施形態について説明する。図６（ａ）は、第４の実施形態にかかる端子付き電線１０ｃを示す平面図である。端子付き電線１０ｃは、端子付き電線１０ａと略同様の構成であるが、流出防止部１９、１９ａに加えて流出防止部１９ｃが設けられる点で異なる。
【００６６】
流出防止部１９ｃは、被覆圧着部９の先端部（導線圧着部７側の端部）近傍に幅方向に形成されるとともに、バレル間部８の両側壁上にバレル間部８を挟むように形成される。すなわち、流出防止部１９ｃでバレル間部８を後方から略コの字状に囲むように形成される。
【００６７】
防食材１７は、流出防止部１９、１９ａで囲まれた範囲から流出防止部１９ｃで囲まれた範囲まで設けられ、当該範囲における導線１３を覆う。
【００６８】
第４の実施形態によれば、第２の実施形態と同様の効果を得ることができる。また、防食材１７が、被覆圧着部９の後方や側方に流出することも抑制することができる。
【００６９】
次に、第５の実施形態について説明する。図６（ｂ）は、第５の実施形態にかかる端子付き電線１０ｄを示す平面図である。端子付き電線１０ｄは、端子付き電線１０ｃと略同様の構成であるが、流出防止部１９、１９ａ、１９ｃに加えて流出防止部１９ｄが設けられる点で異なる。
【００７０】
前述したように、流出防止部１９、１９ａによって、導線圧着部７の先端側が略コの字状に囲まれる。また、流出防止部１９ｃによって、バレル間部８が後方から略コの字状に囲まれる。流出防止部１９ｄは、流出防止部１９ａと流出防止部１９ｃを繋ぐように設けられる。すなわち、流出防止部１９ｄは、導線圧着部７の上方であって、バレル同士の突合せ部の両側に設けられ、流出防止部１９、１９ａ、１９ｃ、１９ｄによってバレル間部８からトランジション部４までの所定の範囲が囲まれる。
【００７１】
防食材１７は、流出防止部１９、１９ａ、１９ｃ、１９ｄで囲まれた範囲に設けられ、当該範囲における導線１３を覆う。
【００７２】
第５の実施形態によれば、第４の実施形態と同様の効果を得ることができる。また、バレル同士の突合せ部の両側の流出防止部１９ｄの間を防食材１７で覆うことができ、導線圧着部７の側方に防食材１７が流出することも抑制することができる。
【００７３】
次に、第６の実施形態について説明する。図７（ａ）は、第６の実施形態にかかる端子付き電線１０ｅを示す平面図であり、図７（ｂ）は、端子付き電線１０ｅを示す断面図である。端子付き電線１０ｅは、端子付き電線１０と略同様の構成であるが、流出防止部１９に加えて流出防止部１９ｅが設けられる点で異なる。
【００７４】
流出防止部１９ｅは、導線圧着部７の上方または後方（バレル間部８との境界部近傍）に、導線圧着部７またはバレル間部８の全幅に設けられる。図７（ｃ）は、流出防止部１９ｅ近傍の拡大図である。流出防止部１９ｅの高さ（図中Ｈ１）は、被覆部１５から露出する導線の高さ（図中Ｃ１）よりも高い。なお、高さＨ１及びＣ１は、いずれもバレル間部８における端子上面からの高さである。
【００７５】
防食材１７は、流出防止部１９ｅの後方と、流出防止部１９の後方のそれぞれに設けられる。すなわち、バレル間部８から流出防止部１９ｅまでの導線１３が露出する部位が、防食材１７で覆われるとともに、流出防止部１９ｅから流出防止部１９までの導線１３が露出する部位が、防食材１７で覆われる。
【００７６】
なお、前述したように、トランジション部４には、導線１３の先端部の高さよりも高い流出防止部１９が設けられ、導線圧着部７の上方または後方には、被覆部１５から露出する導線１３の高さよりも高い流出防止部１９ｅが設けられる。この際、トランジション部４に設けられる流出防止部１９と、導線圧着部７の上方または後方に設けられる流出防止部１９ｅの高さは異なり、流出防止部１９ｅの高さの方が高い。
【００７７】
第６の実施形態によれば、第１の実施形態と同様の効果を得ることができる。また、導線圧着部７の先端部の導線１３を確実に覆うとともに、バレル間部８における導線１３を確実に覆うことができる。また、各部の導線１３の高さに応じた高さで防食材１７を塗布することができるため、流出防止部１９のみで防食材１７の塗布高さを設定する場合と比較して、防食材１７の塗布量を削減することができる。なお、バレル間部８における導線１３を防食材１７で確実に覆う場合には、流出防止部１９は必ずしも必要ではなく、流出防止部１９ｅのみとしてもよい。
【００７８】
次に、第７の実施形態について説明する。図８（ａ）は、第７の実施形態にかかる端子付き電線１０ｆを示す平面図である。端子付き電線１０ｆは、端子付き電線１０ｃと略同様の構成であるが、流出防止部１９、１９ａに代えて、流出防止部１９ｅが設けられる点で異なる。
【００７９】
本実施形態では、流出防止部１９が形成されない。このように、導線圧着部７の先端部おける導線１３については、防食材１７で容易に被覆することができれば、流出防止部１９を設けなくてもよい。一方、前述したように、バレル間部８においては、被覆部１５から露出する導線１３の高さが高い。このため、バレル間部８における導線１３をより確実に覆うため、流出防止部１９ｃ、１９ｅによって、バレル間部８を囲む。このようにすることで、バレル間部８の周囲に防食材１７が流出することをより確実に抑制し、導線１３を防食材１７で覆うことができる。
【００８０】
第７の実施形態によれば、バレル間部８における導線１３を確実に覆うことができる。
【００８１】
次に、第８の実施形態について説明する。図８（ｂ）は、第８の実施形態にかかる端子付き電線１０ｇを示す平面図である。端子付き電線１０ｇは、端子付き電線１０ｆと略同様の構成であるが、流出防止部１９、１９ａ、１９ｂと、流出防止部１９ｃ、１９ｅが設けられる点で異なる。
【００８２】
前述したように、トランジション部４において、流出防止部１９、１９ａ、１９ｂで導線圧着部７の先端側が、略ロの字状に囲まれる。また、バレル間部８が、流出防止部１９ｃ、１９ｅで囲まれる。
【００８３】
防食材１７は、流出防止部１９、１９ａ、１９ｂ及び流出防止部１９ｃ、１９ｅで囲まれた範囲と、導線圧着部７の上方に塗布される。すなわち、バレル間部８から、トランジション部４までの間の、導線１３が防食材１７で覆われる。
【００８４】
第８の実施形態によれば、第３の実施形態及び第７の実施形態と同様の効果を得ることができる。このように、特に導線１３の露出のおそれがある部位を流出防止部で囲むことで、防食材１７の流出を効率よく抑制し、導線１３をより確実に防食材１７で覆うことができる。
【００８５】
次に、第９の実施形態について説明する。図９（ａ）は、第９の実施形態にかかる端子付き電線１０ｈを示す平面図である。端子付き電線１０ｈは、端子付き電線１０ｄと略同様の構成であるが、流出防止部１９ｅが設けられる点で異なる。
【００８６】
本実施形態では、流出防止部１９ｃ、１９ｅでバレル間部８が囲まれ、流出防止部１９、１９ａ、１９ｄ、１９ｅによって、導線圧着部７からトランジション部４までが囲まれ、それぞれの領域において、防食材１７が塗布される。このため、流出防止部１９ｃ、１９ｅによって、バレル間部８の周囲へ防食材１７が流出することが抑制され、流出防止部１９、１９ａ、１９ｄ、１９ｅによって、導線圧着部７およびトランジション部４の周囲へ防食材１７が流出することが抑制される。
【００８７】
第９の実施形態によれば、第５の実施形態及び第６の実施形態と同様の効果を得ることができる。このように、特に導線１３の露出のおそれがある部位を流出防止部で囲むことで、防食材１７の流出を効率よく抑制し、導線１３をより確実に防食材１７で覆うことができるとともに、各部の導線１３の高さに応じた高さで防食材１７を塗布することができる。
【００８８】
次に、第１０の実施形態について説明する。図９（ｂ）は、第１０の実施形態にかかる端子付き電線１０ｉを示す平面図である。端子付き電線１０ｉは、端子付き電線１０ｈと略同様の構成であるが、流出防止部１９ｂが設けられる点で異なる。
【００８９】
本実施形態では、流出防止部１９ｃ、１９ｅでバレル間部８が囲まれ、流出防止部１９、１９ａ、１９ｂによって、導線圧着部７の先端側が囲まれ、流出防止部１９ｂ、１９ｄ、１９ｅによって、導線圧着部７の上方のバレル同士の突合せ部が囲まれ、それぞれの領域において、防食材１７が塗布される。このため、流出防止部１９ｃ、１９ｅによって、バレル間部８の周囲へ防食材１７が流出することが抑制され、流出防止部１９、１９ａ、１９ｂによって、トランジション部４の周囲へ防食材１７が流出することが抑制され、流出防止部１９ｂ、１９ｄ、１９ｅによって、導線圧着部７の周囲へ防食材１７が流出することが抑制される。
【００９０】
第１０の実施形態によれば、第９の実施形態と同様の効果を得ることができる。このように、各部を別々に流出防止部で囲むことで、防食材１７の流出を効率よく抑制し、導線１３をより確実に防食材１７で覆うことができるとともに、各部の導線１３の高さに応じた高さで防食材１７を塗布することができる。
【００９１】
次に、第１１の実施形態について説明する。図１０は、第１１の実施形態にかかる端子付き電線１０ｊを示す断面図である。端子付き電線１０ｊは、端子付き電線１０ｅと略同様の構成であるが、流出防止部１９ｆが設けられる点で異なる。
【００９２】
本実施形態では、被覆圧着部９の後方の被覆部１５の外周に流出防止部１９ｆが設けられる。流出防止部１９ｆは、被覆圧着部９の後方に所定の隙間をあけて形成される。なお、流出防止部１９ｆは、例えば、被覆部１５の上方の略半周に渡って形成される。
【００９３】
流出防止部１９ｆが形成され後、被覆圧着部９と流出防止部１９ｆの間に上方から防食材１７を塗布すると、防食材１７は、被覆部１５の上方から下方に向かって流れ、被覆圧着部９の後端部を全周に渡って覆う。すなわち、被覆圧着部９の後端部から被覆部１５の外周の流出防止部１９ｆまでの間を防食材１７で覆うことができる。この際、被覆部１５の上方に塗布された防食材１７は、流出防止部１９ｆによって、被覆導線１１に沿って後方に流れることが抑制される。なお、被覆部１５の下方の半周においては、防食材１７は、被覆圧着部９の後端に沿って流れるため、被覆導線１１の後方への流れが抑制され、被覆圧着部９の後端部の全周に渡って防食材１７を塗布することができる。
【００９４】
第１１の実施形態によれば、第６の実施形態と同様の効果を得ることができる。また、被覆圧着部９の後端部を防食材１７で覆うことができるため、被覆圧着部９の後端からの水の浸入を抑制することができる。
【００９５】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【００９６】
例えば、上述した各構成は、互いに組み合わせることができることは言うまでもない。また、複数個所に流出防止部を形成する際には、全ての流出防止部を構成する樹脂と防食材１７が光硬化樹脂であることが望ましいが、その他の樹脂を用いてもよい。
【符号の説明】
【００９７】
１………端子
３………端子本体
４………トランジション部
５………圧着部
７………導線圧着部
８………バレル間部
９………被覆圧着部
１０、１０ａ、１０ｂ、１０ｃ、１０ｄ、１０ｅ、１０ｆ、１０ｇ、１０ｈ、１０ｉ、１０ｊ………端子付き電線
１１………被覆導線
１３………導線
１５………被覆部
１７………防食材
１９、１９ａ、１９ｂ、１９ｃ、１９ｄ、１９ｅ、１９ｆ………流出防止部
【図１】
2020031008.tif 000003
【図２】
2020031008.tif 000004
【図３】
2020031008.tif 000005
【図４】
2020031008.tif 000006
【図５】
2020031008.tif 000007
【図６】
2020031008.tif 000008
【図７】
2020031008.tif 000009
【図８】
2020031008.tif 000010
【図９】
2020031008.tif 000011
【図１０】
2020031008.tif 000012